(57)【要約】【課題】カウンター天板の意匠性を損なわず、且つ前垂れ部が浮き上がることを防止可能なカウンター天板固定構造を提供することである。【解決手段】棚受部材４４を腰壁パネル４１の背面４３に固定し、前垂れ部３を有するカウンター天板１を棚受部材４４の上に載置し、ビス５４，５５でカウンター天板１と棚受部材４４とを固定してなるカウンター天板固定構造において、カウンター天板１は正面視で略弓状であって、カウンター天板１の端部３１，３２は中央部３０よりも上側に位置しており、棚受部材４４に固定された状態においては、カウンター天板１は正面視で略直線状を成している。【選択図】図３
2012040193.tif 000002
【特許請求の範囲】
【請求項１】
棚受部材を腰壁パネルの背面に固定し、前垂れ部を有するカウンター天板を棚受部材の上に載置し、ビス等の固定具でカウンター天板と棚受部材とを固定してなるカウンター天板固定構造において、
カウンター天板は正面視で略弓状であって、カウンター天板の両端部は中央部よりも上側に位置しており、
棚受部材に固定された状態においては、カウンター天板は正面視で略直線状を成していることを特徴とするカウンター天板固定構造。
【発明の詳細な説明】
【技術分野】
【０００１】
本発明は、カウンター天板固定構造に関し、さらに詳細には、ビス等の固定具でカウンター天板とＬ型棚受部材とを固定してなるカウンター天板固定構造に関する。本発明のカウンター天板固定構造は、カウンター天板の意匠性を損なわず、且つカウンター天板が浮き上がることを防止可能なものである。
【背景技術】
【０００２】
システムバスルームと呼ばれる合成樹脂製のユニットバスにおいて、限られた設置スペースを有効に活用するため、様々な工夫が施されている。例えば、図４（ａ）に示すように、ユニットバス８０では、床パン８１の端に立設された腰壁パネル８２の背面８３に、Ｌ型状の棚受部材８４が浴室外側に向かって固定されている。棚受部材８４の上には、「持ち出しカウンター」と呼ばれる合成樹脂製のカウンター天板８５が載置されている。カウンター天板８５は、出窓のように浴室外側に突出した棚のことである。カウンター天板８５を設置することにより、床パン８１を敷設できないデッドスペース等が利用可能となる。
【０００３】
カウンター天板８５は、前垂れ部８６を有している。前垂れ部８６は、カウンター天板８６の端部を下向きに延設したものであり、カウンター天板８５と腰壁パネル８２との継ぎ目を覆い隠すためのものである。特許文献１にも、前垂れ部を有するカウンター天板が開示されている。前垂れ部で継ぎ目を隠すことにより、ユニットバス内を美しく仕上げることができる。
【先行技術文献】
【特許文献】
【０００４】
【特許文献１】特開２００２−２５０１４１号公報
【発明の概要】
【発明が解決しようとする課題】
【０００５】
カウンター天板には意匠性の確保が重要であり、前垂れ部をビス等で固定することはできる限り避けたい。換言すれば、カウンター天板と棚受部材とは、使用者から見えにくい箇所で固定することが好ましい。例えば、図４（ｂ）に示すカウンター天板８５では、天面８７において、左側縁８９、後側縁９０、右側縁９１の三方の縁９２をビス９３で固定している。つまり、前垂れ部８６と、前垂れ部８６の近傍にある前側縁８８とが固定されておらず、カウンター天板８５の意匠性は確保されている。
【０００６】
ところが、天面８７の上に入浴用品等が置かれて後側縁９０が押圧されると、合成樹脂で構成されたカウンター天板８５は弾性を備えているために歪みを生じ、前垂れ部８６が浮き上がることがある。これは、前垂れ部８６および前側縁８８が固定されていないからである。前垂れ部８６が浮き上がると、カウンター天板８５と腰壁パネル８２との継ぎ目が露出してしまい、ユニットバス８０の美観が損なわれてしまう。
【０００７】
そこで、本発明は、カウンター天板の意匠性を損なわず、且つ前垂れ部が浮き上がることを防止可能なカウンター天板固定構造の提供を目的とする。
【課題を解決するための手段】
【０００８】
上記課題を解決するための請求項１に記載の発明は、棚受部材を腰壁パネルの背面に固定し、前垂れ部を有するカウンター天板を棚受部材の上に載置し、ビス等の固定具でカウンター天板と棚受部材とを固定してなるカウンター天板固定構造において、カウンター天板は正面視で略弓状であって、カウンター天板の両端部は中央部よりも上側に位置しており、棚受部材に固定された状態においては、カウンター天板は正面視で略直線状を成していることを特徴とするカウンター天板固定構造である。
「カウンター天板の両端部が中央部よりも上側に位置している」とは、両端部が浮き上がった状態を示している。すなわち、「正面視で略弓状のカウンター天板」とは、長手方向において上向きに反ったものを指す。このようなカウンター天板を略直線状に伸ばすと、カウンター天板は元の反った状態に戻ろうとする。つまり、棚受部材に固定されたカウンター天板は、上向きの付勢力を保有したまま、略直線状を成している。
【０００９】
例えば、前垂れ部とは反対側の天面の端部が、入浴用品等から押圧され下向きの力を受けると、カウンター天板は前垂れ部が浮き上がるような力を受ける。ところが、カウンター天板は上向きの付勢力を保有しているため、下向きの力は付勢力で相殺される。つまり、天面が入浴用品等から押圧されても、前垂れ部が浮き上がることはない。よって、前垂れ部および前垂れ部の近傍をビス等で固定する必要がなく、カウンター天板の美観を損なう恐れはない。
【発明の効果】
【００１０】
本発明のカウンター天板固定構造によれば、カウンター天板の意匠性を損なわず、且つ前垂れ部が浮き上がることを防止可能である。
【図面の簡単な説明】
【００１１】
【図１】本発明の実施形態に係るカウンター天板固定構造で用いるカウンター天板を示す斜視図である。
【図２】棚受部材に固定される前のカウンター天板を示す図であり、（ａ）は正面図、（ｂ）は側面図、（ｃ）は底面図である。
【図３】本発明の実施形態に係るカウンター天板固定構造を示す図であり、（ａ）は分解斜視図、（ｂ）は斜視図である。
【図４】従来のユニットバスにおける腰壁パネルとカウンター天板との関係を示す図であり、（ａ）は側面図、（ｂ）は斜視図である。
【発明を実施するための形態】
【００１２】
以下では、本発明のカウンター天板固定構造の実施形態について、図面を参照しながら詳細に説明する。なお、以下の説明は、実施形態の理解を容易にするためのものであり、これによって、本発明が制限して理解されるべきではない。
【００１３】
図１に示すカウンター天板１は、本発明の実施形態に係るカウンター天板固定構造で用いられる。カウンター天板１は、長尺状の合成樹脂製の部材である。カウンター天板１は、板状の本体部２を有している。本体部２は、後述する棚受部材４４に固定される前の状態においては、略弓状を成しており、反っている。図２（ａ）に示すように、本体部２は、両端部３１，３２が中央部３０よりも上側に位置している。すなわち、両端部３１，３２は、中央部３０よりも高さＸだけ浮き上がっている。
【００１４】
本体部２は、図１に示すように、前垂れ部３と、リブ４，５と、ビス孔６とを有している。
【００１５】
ビス孔６は、本体部２の天面１０に位置している。詳細には、ビス孔６は、４方の縁１５の内、前側縁１１を除く左側縁１２、後側縁１３、右側縁１４に位置している。
【００１６】
前垂れ部３は、本体部２を下側に延設した部位である。前垂れ部３は、後述する腰壁パネル４１とカウンター天板１との継ぎ目を隠すためのものである。前垂れ部３は、本体部２の天面１０の前側縁１１の下側に位置している。
【００１７】
リブ４，５は、本体部２の底面２０に位置している。リブ４，５は、本体部２の反りが高さＸを超えることを防止するためのものである。図２（ｂ），（ｃ）に示すように、リブ４，５は、本体部２の長手方向に沿っており、前垂れ部３に平行となるように位置している。リブ４，５は、ボス７を有している。ボス７はビス孔６を有している。ボス７は、天面１０に位置するビス孔６と、平面視で重なる位置にある。
【００１８】
図３（ａ），（ｂ）は、本発明の実施形態に係るカウンター天板固定構造を示す図である。図３（ａ）に示すように、ユニットバス６０は、床パン４０と、腰壁パネル４１と、浴槽４２と、棚受部材４４と、Ｌ字アングル５０と、コの字アングル５１と、カウンター天板１と、ビス５４，５５（固定具）とを有している。
【００１９】
床パン４０の上に、腰壁パネル４１と、浴槽４２が位置している。腰壁パネル４１の背面４３には、Ｌ型状の棚受部材４４が固定されている。
【００２０】
棚受部材４４は、カウンター天板１と、Ｌ字アングル５０と、コの字アングル５１とを支持するための部材である。棚受部材４４は、腰壁パネル４１の長手方向に沿って、複数設けられている。腰壁パネル４１の端部４６，４７および中央部４８に位置している棚受部材４４には、ビス孔４５が設けられている。
【００２１】
Ｌ字アングル５０は、カウンター天板１のボス４を安定して支持するための部材である。Ｌ字アングル５０は、側面視でＬ字状を成している。Ｌ字アングル５０は、ビス孔５２を有している。
【００２２】
コの字アングル５１は、カウンター天板１のボス５を安定して支持するための部材である。Ｌ字アングル５１は、側面視でコの字状を成している。Ｌ字アングル５１は、ビス孔５３を有している。
【００２３】
図３（ｂ）は、棚受部材４４と、Ｌ字アングル５０と、コの字アングル５１と、カウンター天板１とがビス５４，５５で一体化された状態を示す。詳細には、カウンター天板１のビス孔６と、Ｌ字アングル５０のビス孔５２にビス５４が挿通され、棚受部材４４のビス孔４５に固定されている。また、カウンター天板１のビス孔６と、コの字アングル５１のビス孔５３にビス５５が挿通され、棚受部材４４のビス孔４５に固定されている。
【００２４】
図３（ｂ）に示すように、カウンター天板１は、棚受部材４４に固定された状態においては、略直線状を成している。棚受部材４４に固定される前のカウンター天板１は、略弓状であり、長手方向において上向きに反っている。すなわち、棚受部材４４に固定されたカウンター天板１は、元の反った状態に戻ろうとする力を有している。つまり、カウンター天板１は、上向きの付勢力を保有している。
【００２５】
例えば、前垂れ部３とは反対側の天面１０の端部（後側縁１３）が、入浴用品等から押圧され下向きの力を受けると、カウンター天板１は前垂れ部３が浮き上がるような力を受ける。ところが、カウンター天板１は上向きの付勢力を保有しているため、下向きの力は付勢力で相殺される。つまり、天面１０が入浴用品等から押圧されても、前垂れ部３が浮き上がることはない。よって、前垂れ部３および前側縁１１をビス５４，５５等で固定する必要がなく、カウンター天板１の美観を損なう恐れはない。
【００２６】
前述のように、本発明のカウンター天板固定構造によれば、カウンター天板１の意匠性を損なわず、且つ前垂れ部３が浮き上がることを防止できる。
【００２７】
なお、本発明の実施形態に係るカウンター天板固定構造で用いられるカウンター天板１は、ＦＲＰ（繊維強化プラスチック）で成形されることが好ましい。なお、ＦＲＰは、不飽和ポリエステル樹脂等をガラス繊維に含浸させ薄板状としたＳＭＣ（Sheet Moulding Compound）で構成されることが好ましい。
【符号の説明】
【００２８】
１    カウンター天板
３    前垂れ部
３０    中央部
３１    端部
３２    端部
４１    腰壁パネル
４３    背面
４４    棚受部材
５４，５５    ビス（固定具）
【図１】
2012040193.tif 000003
【図２】
2012040193.tif 000004
【図３】
2012040193.tif 000005
【図４】
2012040193.tif 000006